(57)【要約】【課題】    表示部に汚れが付着するのを防止することを課題とする。【解決手段】ケース１４又はディスク押さえ２４を把持する部分にはＩＤシール６４が設けられており、このＩＤシール６４は、透明フィルム６６によって汚れるのが防止されている。これにより、ケース１４（ディスクカートリッジ１０）をドライブ装置に装填あるいは取り出す作業を行う際に、ＩＤシール６４がフィンガープリント等によって汚れることがないので、ＩＤシール６４の視認性が劣化してＩＤシール６４（ＩＤ番号）の識別ができなくなることがない。また、ＩＤシール６４が汚れてケース１４の美観が損なわれることが防止できる。【選択図】    図１
2005276376.tif 000002
【特許請求の範囲】
【請求項１】
ドライブ装置に装填されて情報の記録再生が可能なディスクメディアと、前記ディスクメディアを回転可能に収納すると共に該ディスクメディアが出し入れ可能なディスク開口部が形成されたケースと、前記ディスク開口部の一部を塞いで前記ディスクメディアを前記ケースへ押圧する閉塞位置と当該一部を開いて前記ディスクメディアの取り出しが可能な開放位置との間を回動する押え部材と、前記ドライブ装置に装填する際、前記ケース又は前記押え部材を把持する部分に設けられた表示部と、を備えたディスクカートリッジにおいて、
前記ケース又は前記押え部材には、汚れを防止する汚れ防止手段が設けられたことを特徴とするディスクカートリッジ。
【請求項２】
前記表示部は、前記ケースのドライブ装置の装填方向後方部に設けられていることを特徴とする請求項１に記載のディスクカートリッジ。
【請求項３】
前記表示部は、前記ディスクメディアと前記ケースとが対応しているか否か判断できるマークであることを特徴とする請求項１又は請求項２に記載のディスクカートリッジ。
【請求項４】
前記汚れ防止手段は、前記表示部の表面をコーティングする透明部材であることを特徴とする請求項１〜請求項３のいずれか１項に記載のディスクカートリッジ。
【請求項５】
前記透明部材は、印刷層又はシート材であることを特徴とする請求項４に記載のディスクカートリッジ。
【請求項６】
前記汚れ防止手段は、前記表示部が設けられた前記ケース又は前記押え部材の凹部であることを特徴とする請求項１〜請求項３のいずれか１項に記載のディスクカートリッジ。
【請求項７】
前記汚れ防止手段は、前記表示部の周囲に設けられた凸部であることを特徴とする請求項１〜請求項３のいずれか１項に記載のディスクカートリッジ。
【請求項８】
前記透明部材の表面は、滑り防止加工されていることを特徴とする請求項１〜請求項７のいずれか１項に記載のディスクカートリッジ。
【発明の詳細な説明】
【技術分野】
【０００１】
本発明は、ドライブ装置に装填され、情報が記録再生されるディスクメディアが収納されたディスクカートリッジに関するものである。
【背景技術】
【０００２】
光ディスクや光磁気ディスク等のディスクメディアは、記録又は再生を行う際には、ドライブ装置に装填された状態で回転し、記録ヘッドによってレーザー光又はレーザー光と磁場の両者が記録層へ照射されることで、記録層の分解及び／又は昇温によるピット形成や相変化、磁化反転等によって情報の記録がなされ、又はレーザー光の反射率や偏光角の相違を再生ヘッドで読み取って記録された情報の再生が行われるようになっている。
【０００３】
このようなディスクメディアを収納するケースとして、ディスクメディアのレーベル面を露出させると共に、ディスクメディアを収納した状態でディスクメディアのガタツキを無くし、ディスクメディアへの塵埃の付着を防止するディスクカートリッジが提案されている（特許文献１参照）。
【０００４】
このようなディスクカートリッジでは、ディスクメディアがケースに対して着脱可能に収納されており、ディスクメディアが、例えば、ＤＶＤ―ＲＷ（記録可能なＤＶＤメディア）やＤＶＤ−Ｒ（ライトワンスのＤＶＤメディア）の場合、ユーザがディスクメディアをケースから取出した状態で再生を行なうことを可能にする。
【０００５】
そして、ディスクメディアをケースに収納した状態、又は、ディスクメディアをケースから取り出したて再生を行うことができるように、ケースにはディスク開口部が設けられている。このディスク開口部があるため、ディスクカートリッジをドライブ装置に装填、あるいはドライブ装置から取り出す際に、把持する場所が限られてくる。
【０００６】
一方、ケースとケースに収納したディスクメディアとを対応させるために、ケース及びディスクメディアに同一のマークなどを表示することが考えられている。しかし、上記ディスクカートリッジでは、ケース側で表示部を設ける場所が限られ、又は視認性を考えると、表示部を設ける場所は、ケースの装填方向後方部となってしまう。
【０００７】
このため、ディスクカートリッジをドライブ装置に装填あるいはドライブ装置から取り出す際、表示部を直接に、あるいは表示部の近傍を把持することになり、表示部がフィンガープリント（手垢）等で汚れてしまう。これは、表示部の視認性を損なう恐れがあり、ディスクメディアがケースと対応しているかどうかを識別するのが困難となる。
【特許文献１】特開２００３−２４２７４０号公報
【発明の開示】
【発明が解決しようとする課題】
【０００８】
本発明は上記事実を考慮し、表示部に汚れが付着するのを防止することを目的としている。
【課題を解決するための手段】
【０００９】
請求項１に記載の発明は、ドライブ装置に装填されて情報の記録再生が可能なディスクメディアと、前記ディスクメディアを回転可能に収納すると共に該ディスクメディアが出し入れ可能なディスク開口部が形成されたケースと、前記ディスク開口部の一部を塞いで前記ディスクメディアを前記ケースへ押圧する閉塞位置と当該一部を開いて前記ディスクメディアの取り出しが可能な開放位置との間を回動する押え部材と、前記ドライブ装置に装填する際、前記ケース又は前記押え部材を把持する部分に設けられた表示部と、を備えたディスクカートリッジにおいて、前記ケース又は前記押え部材には、汚れを防止する汚れ防止手段が設けられたことを特徴としている。
【００１０】
請求項１に記載の発明では、ケース又は押え部材を把持する部分には表示部が設けられており、この表示部は、汚れ防止手段によって汚れるのが防止されている。これにより、ケース（ディスクカートリッジ）をドライブ装置に装填あるいは取り出す作業を行う際に、表示部がフィンガープリント等によって汚れることがないので、表示部の視認性が劣化して表示部の識別ができにくくなることがない。また、表示部が汚れてケースの美観が損なわれることが防止できる。
【００１１】
請求項２に記載の発明は、前記表示部は、前記ケースのドライブ装置の装填方向後方部に設けられていることを特徴としている。
【００１２】
請求項２に記載の発明では、ケース（ディスクカートリッジ）をドライブ装置に装填する際に、装填方向の後方部で表示部を視認できるため、表示部の識別が容易となる。
【００１３】
請求項３に記載の発明は、前記表示部は、前記ディスクメディアと前記ケースとが対応しているか否か判断できるマークであることを特徴としている。
【００１４】
請求項３に記載の発明では、ディスクメディアとケースとが対応しているか否かを判断するマークを、ケースとディスクメディアに設けることで、ケースに対応していないディスクメディアを収納してしまうことが防止できる。そして、この表示部に汚れ防止手段を設けることで、表示部の視認性を損なうことがないので、ケースとディスクメディアの対応関係の識別が確実にできる。
【００１５】
請求項４に記載の発明は、前記汚れ防止手段は、前記表示部の表面をコーティングする透明部材であることを特徴としている。
【００１６】
請求項４に記載の発明では、表示部を透明部材によってコーティングすることで、特別な表示部を設けなくてもよい。
【００１７】
請求項５に記載の発明は前記透明部材は、印刷層又はシート材であることを特徴としている。
【００１８】
請求項５に記載の発明では、透明部材として表示部に印刷層又はシート材を設けることで、表示部の厚みが必要以上に大きくならない。
【００１９】
請求項６に記載の発明は、前記汚れ防止手段は、前記表示部が設けられた前記ケース又は前記押え部材の凹部であることを特徴としている。
【００２０】
請求項６に記載の発明では、凹部に表示部を設けることで、ケースを把持した際に、ユーザーの指は凹部の頂面に掛かり、表示部に直接触れることがない。これによって、ケースを把持する際に表示部が汚れることを防止できる。
【００２１】
請求項７に記載の発明は、前記汚れ防止手段は、前記表示部の周囲に設けられた凸部であることを特徴としている。
【００２２】
請求項７に記載の発明では、表示部の周囲に凸部を設けることで、ケースを把持した際に、ユーザーの指は凸部にかかり、表示部に直接触れることがない。これによって、ケースを把持する際に表示部が汚れることを防止できる。
【００２３】
請求項８に記載の発明は、前記透明部材の表面は、滑り防止加工されていることを特徴としている。
【００２４】
請求項８に記載の発明では、表面が滑り防止加工された透明部材を表示部に用いることで、表示部の汚れを防止すると共に、ケースを把持する際に指からケースが滑り落ちるのを防止できる。
【発明の効果】
【００２５】
本発明は、上記構成としたので、表示部に汚れが付着するのを防止することができる。
【発明を実施するための最良の形態】
【００２６】
以下に、図面を参照しながら本発明の第１の実施形態に係るディスクカートリッジについて説明する。
【００２７】
図１又は図３に示すように、ディスクカートリッジ１０に収容されるディスクメディア１２は、円板状に形成されている。ディスクメディア１２の軸心部には、ディスクドライブ装置の回転スピンドル軸にキャッチング（係合保持）されるセンタ孔１２Ａが設けられている。センタ孔１２Ａと記録面１２Ｂ（記録層と体面する光透過層の領域）との間の領域は、ドライブ装置の回転スピンドル軸がディスクメディア１２を保持するためのチャッキングエリア１２Ｃとされている。
【００２８】
このキャッチングエリア１２Ｃの非記録面１２Ｄ側（いわゆる印刷面）には、ＩＤシール６２が貼着されている。このＩＤシール６２には、製造履歴等の情報を有するＩＤ番号等の識別データが記されており（ＩＤマーク）、ＩＤ番号は一つのディスクメディア１２のみ対応するようになっている。そして、このＩＤ番号が、後述するケース１４に貼着されたＩＤシール６４のＩＤ番号と一致すると、ディスクメディア１２はケース１４に収納されていたものであったことがわかる。
【００２９】
一方、図２又は図３に示すように、ケース１４は、合成樹脂製の上シェル２６と下シェル２８とを接合して略矩形扁平容器状に構成されている。
【００３０】
上シェル２６は、平面視でケース１４の形状に対応した形状の天板３０と、天板３０の外周縁部に沿って下方に立設された外周壁３２と、を備えている。天板３０には、ディスクメディア１２の外径よりも若干大径（ディスクメディア１２が回転しても接触しない程度の大きさ）の円形孔とされたディスク開口部３５が穿設されている。このように、上シェル２６の天板３０に、ディスク開口部３５が設けられたことにより、上方への膨出部分は形成されないため、ディスク開口部３５が形成されていない密閉型ディスクカートリッジのケースよりもケース１４は薄く構成できる利点がある。
【００３１】
ディスク開口部３５の内周縁部には、下方に向けて所定高さの内周壁３４が立設されており、内周壁３４の内側には、ディスクメディア１２が回転可能に収容されるようになっている。このディスク開口部３５によって、ケース１４へのディスクメディア１２の挿入、ケース１４からのディスクメディア１２の取り出しが可能となっている。
【００３２】
また、天板３０の上面後部側の中央には、ＩＤシール６４が貼着されている。このＩＤシール６４の製造履歴等の情報を有するＩＤ番号等が、ディスクメディア１２に貼着されたＩＤシール６２のＩＤ番号と一致すると、ディスクメディア１２はケース１４に収納されていたものであったことがわかる。
【００３３】
そして、図１〜図３に示すように、天板３０の上面後端部側の中央には、ＩＤシール６４を覆うようにして、透明フィルム６６が接着剤で貼り付けられている。透明フィルム６６としては、ポリプロピレン、ポリエステル、トリアセテート、塩化ビニール、ポリエチレン、ナイロン、ポリスチレン、フッ素系、アクリル系などのプラスチックフィルム及びセロファンなどの紙系フィルムが用いられる。
【００３４】
天板３０の後部側には、ディスク押さえ２４が設けられており、ディスク開口部３５側へ倒れて、ディスクメディア１２の外縁部を押さえ、ディスクメディア１２がディスク開口部３５から脱落しないように、且つ、保存時において収容部５７内でガタつかないように保持されるようになっている。
【００３５】
一方、図３に示すように、下シェル２８は、天板３０に略対応した形状の底板４０と、上シェル２６の外周壁３２に対応した形状の外周壁４２とを備えており、底板４０には、開口２０が設けられている。
【００３６】
また、底板４０上には、インナーロータ１６及びシャッター部材１８が設けられている。そして、このインナーロータ１６とシャッター部材１８とが互いに反対方向に回動することにより、開口２０が開閉されるようになっており、開口２０の開放時に、ディスクメディア１２の記録面１２Ｂの一部が外部に露出することにより、ドライブ装置の記録再生ヘッドによるアクセスが可能となる構成である。
【００３７】
次に、本発明の第１の実施形態の作用について説明する。
【００３８】
図４に示すように、ドライブ装置にディスクカートリッジ１０を装填する際、また、ドライブ装置からディスクカートリッジ１０を取り出す際、大抵のユーザーはケース１４の後端部又はディスク押さえ２４を把持する。
【００３９】
しかし、図１に示すように、ケース１４の上シェル２６の天板３０の後端部に設けられたＩＤシール６４には透明フィルム６６が貼り付けられているので、ＩＤシール６４がフィンガープリント等によって汚れることがない。これにより、ＩＤシール６４の視認性が劣化してＩＤ番号の識別ができにくくなることがないので、ケース１４にこのケース１４と対応していないディスクメディア１２を収納するのを防止できる。また、ＩＤシール６４が汚れて、ケース１４の美観が損なわれることが防止できる。
【００４０】
なお、本実施形態では、ケース１４の上シェル２６にＩＤシール６４を貼着させた場合について説明したが、図５に示すように、ケース１４の下シェル２８の底板４０の後端部側にＩＤシール６８が貼着されている場合には、このＩＤシール６８を覆うようにして、ケース１４の下シェル２８の底板４０の後端部側に透明フィルム７０を貼り付ける。また、図６に示すように、ケース１４の周壁（外周壁３２及び外周壁４２）にＩＤシール７２を貼着し、透明フィルム７４を貼り付けるようにしてもよい。
【００４１】
さらに、図７に示すように、ＩＤシール７６、７７を上シェル２６（ケース１４）の上面後端部の左右どちらかの端部に貼着した場合は、この部分にＩＤシール７６、７７を覆うようにして透明フィルム７８、７９を貼り付ける。このように、透明フィルム７８、７９を貼り付ける位置は、ＩＤシールを貼着させる場所に応じて決定される。
【００４２】
また、図８に示すように、ディスク押さえ２４にＩＤシール９４を貼着した場合には、このＩＤシール９４の上に透明フィルム９６を貼り付ける。これによって、ディスクカートリッジ１０を把持する際、ユーザーの指がディスク押さえ２４に触れても（図４参照）、ＩＤシール９４の視認性が劣化することがない。
【００４３】
本実施形態では、透明フィルムをＩＤシール上に貼り付けたが、ケース１４に、ＩＤシール６４以外にマークや文字等が設けられている場合には、これらのマークや文字等を覆うようにして透明フィルムを貼り付ける。これにより、ディスクカートリッジ１０を把持したときに、マークや文字等がフィンガプリント等で汚れることがなく、マークや文字の視認性が損なわれることがない。
【００４４】
さらに、本実施形態では、ＩＤシールに透明フィルムを貼り付けることで、ＩＤシールが汚れるのを防止する構成としたが、透明フィルムを貼り付ける代わりに、印刷層としての透明性の樹脂をＩＤシール上及びＩＤシール近傍に塗布してもよい。
【００４５】
次に、本発明の第２の実施形態に係るディスクカートリッジについて説明する。なお、第１の実施形態と同様の部分についての説明は割愛する。
【００４６】
図９（Ａ）に示すように、上シェル２６の天板３０の上面後端部側の中央には、凹部８０が形成されており、この凹部８０の底面にはＩＤシール８２が貼着されている。
【００４７】
これによって、図９（Ｂ）に示すように、ユーザーがディスクカートリッジ１０を把持する際、ユーザーの指は凹部８０の底面の頂面８０Ａに掛かるので、凹部８０内に触れることがない。すなわち、凹部８０の底面に貼着されたＩＤシール８２にはユーザーの指が触れないので、フィンガプリント等によって汚されることがない。
【００４８】
なお、本実施形態では、ケース１４の上シェル２６に凹部８０を形成し、この凹部８０にＩＤシール８２を貼着させる構成としたが、図１０（Ａ）に示すように、上シェル２６に貼着されたＩＤシール８４の周囲に凸部８６を設けてもよい。この場合にも、図１０（Ｂ）に示すように、ユーザーがディスクカートリッジ１０を把持したとき、ユーザーの指は凸部８６に掛かって、ＩＤシール８４に直接触れることがないので、ＩＤシール８４が汚れるのを防止できる。
【００４９】
一方、図４に示すように、ディスクカートリッジ１０を把持する際、ユーザーの指はケース１４のＩＤシール６４（図１参照）だけでなく、ディスク押さえ２４や他の部分にも触れる。
【００５０】
そこで、図１１に示すように、ＩＤシールを貼らないディスク押さえ２４にも、透明フィルム９０を貼り付けたり透明樹脂を塗布することで、フィンガープリント等によってディスク押さえ２４が汚れるのを防止できる。
【００５１】
また、図１２に示すように、ディスク押さえ２４の略中央に、ディスク押さえ２４が、ディスクメディア１２を回転可能とする動作位置までは回動できるが、それ以上には回動できないように、その回動範囲を制限するロック部材９２が設けられている場合がある。すなわち、ロック部材９２を設けることで、ロック部材９２がロック位置にあるときには、ディスク押さえ２４は、ディスクメディア１２を回転可能とする動作位置までは回動可能となるが、それ以上の回動は不能となるため、ユーザーが誤ってディスクメディア１２をケース１４から取り出してしまうようなトラブルは起きないようになっている。
【００５２】
このロック部材９２の少なくとも上面に、ロック部材９２であることを識別させるため、例えば、ディスク押さえ２４と区別するための模様等を形成したり、ロック部材９２のスライド方向を示す矢印（図示省略）等を形成してもよい。
【００５３】
そこで、ロック部材９２に透明フィルム９８を貼り付けたり、透明樹脂を塗布する。これによって、ロック部材９２がフィンガープリント等によって汚されるのが防止できるので、ロック部材９２に形成した模様等の視認性が劣化することがない。なお、ロック部材９２をアンロック位置に保持させ、ディスク押さえ２４を回動させてディスク開口部３５を開放することで、ディスクメディア１２が取り出せるようになっている。
【００５４】
また、図１３に示すように、ＩＤシール６４上をマット化したり、図示は省略するが、ＩＤシール上に貼り付けた透明フィルムに凹凸形状を設けることで、ＩＤシールの表面が滑り防止加工される。これにより、このＩＤシール６４がフィンガープリント等によって汚れるのを防止するだけでなく、ディスクカートリッジ１０をドライブ装置に装填、又は、ドライブ装置から取り出す際に、ディスクカートリッジ１０がユーザーの指から滑り落ちるのが防止できる。
【図面の簡単な説明】
【００５５】
【図１】本発明の第１の実施形態に係るディスクカートリッジの外観を示す概略平面図である。
【図２】本発明の第１の実施形態に係るディスクカートリッジのディスクメディアを除いた状態の斜視図である。
【図３】本発明の第１の実施形態に係るディスクカートリッジの構成を示す分解斜視図である。
【図４】本発明の第１の実施形態に係るディスクカートリッジを把持した状態を示す説明図である。
【図５】本発明の他の実施形態に係るディスクカートリッジの外観を示す側面図である。
【図６】本発明の他の実施形態に係るディスクカートリッジの外観を示す概略平面図である。
【図７】本発明の他の実施形態に係るディスクカートリッジの外観を示す概略平面図である。
【図８】本発明の他の実施形態に係るディスクカートリッジの外観を示す概略平面図である。
【図９】（Ａ）本発明の第２の実施形態に係るディスクカートリッジを示す部分斜視図であり、（Ｂ）断面図である。
【図１０】（Ａ）本発明の他の実施形態に係るディスクカートリッジを示す部分斜視図であり、（Ｂ）断面図である。
【図１１】本発明の他の実施形態に係るディスクカートリッジの外観を示す概略平面図である。
【図１２】本発明の他の実施形態に係るディスクカートリッジの外観を示す概略平面図である。
【図１３】本発明の他の実施形態に係るディスクカートリッジにおいて、ＩＤシールをマット化した状態を示す斜視図である。
【符号の説明】
【００５６】
１０  ディスクカートリッジ
１２  ディスクメディア
１２Ａ  ディスク孔（チャッキング開口孔）
１４  ケース
２４  ディスク押さえ（押え部材）
３５  ディスク開口部
６４  ＩＤシール（表示部）
６６  透明フィルム（汚れ防止手段）
８０  凹部（汚れ防止手段）
８２  ＩＤシール（表示部）
８４  ＩＤシール（表示部）
８６  凸部（汚れ防止手段）
【図１】
2005276376.tif 000003
【図２】
2005276376.tif 000004
【図３】
2005276376.tif 000005
【図４】
2005276376.tif 000006
【図５】
2005276376.tif 000007
【図６】
2005276376.tif 000008
【図７】
2005276376.tif 000009
【図８】
2005276376.tif 000010
【図９】
2005276376.tif 000011
【図１０】
2005276376.tif 000012
【図１１】
2005276376.tif 000013
【図１２】
2005276376.tif 000014
【図１３】
2005276376.tif 000015